(57)【要約】【課題】従来のシャワーヘッドの音、水圧、水の飛び散りといった犬などのペットが嫌がり暴れる原因となりうる問題点を解消し、かつ飼い主が容易に洗えるペット用シャワーヘッドを提供する。【解決手段】吐水ホース２と連通連結されたシャワーヘッド本体１は取付け可能のブラシ部５を有し、シャワーヘッド本体１に取付けられたブラシ部５のほぼ中央の位置に開口した吐水口７が配置される。吐水口７には取付ける事で又は、上下移動又はスライド移動により水流方向を切り替える水流切替蓋９を設ける。ブラシ部５の周辺部分又は外周部分は、高密度で配置されたブラシ歯５ｂ又は、凸部３を有し湯水壁を形成する。【選択図】        図１
2006246788.tif 000002
【特許請求の範囲】
【請求項１】
吐水ホース（２）に基端部（４）を連通連結して吐水可能に構成したシャワーヘッド本体（１）であって、前記シャワーヘッド本体（１）の表側に、外部に突出するブラシ歯（５ｂ）を持つブラシ部（５）が配置され、前記シャワーヘッド本体（１）内部に前記吐水ホース（２）と連通し開口した吐水口（７）をブラシ部（５）ほぼ中央に設けたことを特徴とするペット用シャワーヘッド。
【請求項２】
前記ブラシ部（５）の周辺部分又は、外周部分にブラシ歯（５ｂ）を高密度で配置させて湯水壁とするか又は、凸部（３）を持つ湯水壁が形成されたことを特徴とした請求項１記載のペット用シャワーヘッド。
【請求項３】
前記吐水口（７）には湯水の吐水角度を上方向からブラシ歯（５ｂ）に対し、直交する方向に切り替える又は、散水に切り替える水流切替蓋（９）を取付けを可能としたことを特徴とする請求項１又は２項に記載のペット用シャワーヘッド。
【請求項４】
前記ブラシ部（５）は、前記シャワーヘッド本体（１）と着脱可能としたことを特徴とする請求項１〜３のいずれか１項に記載のペット用シャワーヘッド。
【請求項５】
前記シャワーヘッド本体（１）の両側面部にバンド取付け孔（１１）を設けバンド（１０）を取付け可能としたことを特徴とする請求項１〜４いずれか１項に記載のペット用シャワーヘッド。
【請求項６】
前記水流切替蓋（９）の表面に多数の細孔（９ａ）を設けるとともに、水流切替蓋支柱（９ｂ）を介して前記前記水流切替蓋（９）を上下に移動可能とした押圧部（９ｃ）を設けたことを特徴とする請求項１〜５いずれか１項に記載のペット用シャワーヘッド。
【発明の詳細な説明】
【技術分野】
【０００１】
本発明は、吐水ホースに取付け使用し、ペットの洗浄において用いるシャワーヘッドに関する。
【背景技術】
【０００２】
例えば犬などのペットをシャワーで洗う際にペットがシャワーを嫌がり暴れるという問題がある。この目的を持つシャワーヘッドの提案はされていない。
【０００３】
しかし、特に犬などのペットを洗う専用のシャワーヘッドという器具が全く提案されなかった訳ではなく例えば実開平６−２３４４０号の考案は、その分類に属すと思われるが、抜け毛の問題を目的としており、細孔の散水板を用い噴射する為シャワー時の水圧は、従来のシャワーヘッドと同等であり、ペットが嫌がり暴れる要素は、従来のシャワーと全く変わりがない。
【発明の開示】
【発明が解決しようとする課題】
【０００４】
従来のシャワーヘッドは、犬などのペットにとり、恐怖感を感じる３つの問題点を有しこの点が嫌がり暴れる原因となっていた。
犬などのペットが感じる第一の問題点は、シャワー音から感じる恐怖感である。第２の問題点は、水圧から感じる恐怖感である。第３の問題点は、水の飛び散りからくる恐怖感である。
【０００５】
また、洗う側である飼い主にとっては、通常のシャワーヘッドを使った際、手の役割は、手ぐしによるすすぎを行う、シャワーヘッドを持ちシャワーをかける、ペットを押さえるという３つの作業を同時に行うこととなり、当然両手では全てを行うことが難しい。
【０００６】
また、ペットの場合ペットの品種や洗う部位等によりブラシ歯が異なる必要性がある。例えばペットには毛の長さによって長毛種、短毛種に分けられ、また顔部分等デリケートな箇所を固いブラシ歯で洗うのは安全上好ましくない。
【０００７】
また、長時間保持し使用するには、特に握力の面で労力が大きい。
【０００８】
本発明は、従来のシャワーヘッドの音・水圧・水の飛び散りといったペットが嫌がる問題点を克服し、かつペットの種類、洗う箇所に関係なく飼い主が少ない労力で容易に洗えるペット用シャワーヘッドを提供することを目的とする。
【課題を解決するための手段】
【０００９】
上記目的を達成するために、吐水ホースに基端部を連通連結して吐水可能に構成したシャワーヘッド本体であって前記シャワーヘッド本体の表側に、外部に突出するブラシ歯を持つブラシ部が配置され、前記シャワーヘッド本体内部に前記吐水ホースと連通し開口した吐水口をブラシ部ほぼ中央に設けた構造とした。
【００１０】
前記ブラシ部の周辺部分又は、外周部分にブラシ歯を高密度で配置させ湯水壁とするか又は、凸部を持つ湯水壁を形成しても良い。
【００１１】
前記吐水口には湯水の吐水角度を上方向からブラシ歯に対し、直交する方向に切り替える又は散水に切り替える水流切替蓋を取付けることで水流方向の切替えを可能としても良い。
【００１２】
前記ブラシ部は、前記シャワーヘッド本体と着脱可能としても良い。
【００１３】
前記シャワーヘッド本体の両側面部にバンド取付け孔を設けバンドを取付け可能としても良い。
【００１４】
前記水流切替蓋の表面に多数の細孔を設けるとともに、水流切替蓋支柱を介して前記前記水流切替蓋を上下に移動可能とした押圧部を設ける構造としても良い。
【発明の効果】
【００１５】
本発明は、以上説明したように構成されているので以下に記載されるような効果を奏する。
【００１６】
従来のシャワーヘッドでは、主に内部で湯水を圧縮し複数の細孔の吐水口から高水圧で噴射させ、ペットの皮膚面に対し強い刺激を与え使用される為、当然ペットは高水圧を皮膚面で体感し恐怖感を覚えたのに対し、本発明のペット用シャワーヘッドは、ブラシ部ほぼ中央に広く開口した吐水口はブラシ部を包み込むように低水圧で湯水が吐出される。また水流切替蓋をブラシ歯に対し直交する方向に湯水を吐水させることで、ペット皮膚面に対し水圧を感じさせない吐水が可能となる。
このことからペットは、水の圧力をほとんど感じなく、ペットの水圧による恐怖心という問題は解消される。
【００１７】
また従来のシャワーヘッドは、主に散水板より湯水を圧縮し複数の細孔の吐水口から広く拡散させることを目的としている。この圧縮し噴出させる過程が、シャワー音となりペットが怖がる一つの要因となっていた。本発明のシャワーヘッドは、水流方向を切替する事で圧縮噴射を伴わない吐水口面積を確保し湯水の吐水が可能な為、ペットの嫌がるシャワー音を伴わないシャワー作業が出来る。このことから音による恐怖心という問題は解消される。
【００１８】
顔に水が飛んでくることは、ペットが最も嫌がり恐れている点である。従来のシャワーヘッドでは、ペット皮膚面に対し９０度で水を噴射しペット皮膚面に叩きつけられた水は強く弾くことから、水の飛び散りという問題がある。これに対し本発明のペット用シャワーヘッドは、シャワーヘッド本体ブラシ部周辺部分又は外輪部分に高密度のブラシ歯又は、凸部を配置し、該ブラシ歯、該凸部がペット皮膚面に接合することで湯水壁を形成し不要な飛び散りを防ぐだけでなく、完全に体に沿って水が流れる水流を創出する。このことから水の飛び散りによる恐怖心という問題は解消される。同時にこのことは、洗う側にとっては、濡れにくいという効果を併せ持つ。
【００１９】
シャワーを嫌がるペットは、シャワーから逃げ回る動きをしながら暴れる事から、従来手の役割は、シャワーヘッドを持ちシャワーをかける、暴れる犬を押さえる、すすぎの為の手ぐしをするという３つの役割を全て行い当然両手で、3つの役割をこなす事は難しく、無理に行おうとすると、押さえる手が緩み、ペットが暴れ出し、シャワーヘッドからの距離が離れシャワーの大きな音や水の飛び散りにペットが驚き暴れるという、悪循環があった。本発明品であるペット用シャワーヘッドはブラシ部がシャワーヘッド本体にある事から手ぐしによるすすぎの必要性がなく、シャワーヘッドを持たない手はペットを押さえるだけの役割とすることが出来、洗う側の労力を大きく抑える効果を持つ。
【００２０】
ブラシ部を取替え可能とし、ペットの長毛種や短毛種用ブラシ部、ノミ取り用ブラシ部、肛門部分などデリケートな部分を洗う柔らかなブラシ部への取替えを可能とした事で多くの用途に対応できる効果を持つ。
【００２１】
シャワーヘッド本体にバンド取付け孔を設け保持具としてバンド取付け可能な構造としたことで、長時間の使用でも保持しやすい効果を持つ。
【００２２】
表面に多数の細孔を設けた水流切替蓋を替え散水させる事で洗う側の好みやペットの状況や洗う部位、またはペットを洗った後の毛の付いた体をその場で洗い流したいなど状況に応じたニーズに対応できる効果を持つ。
【発明を実施するための最良の形態】
【００２３】
発明の実施の形態を実施例にもとづき図面を参照して説明する。
図1において吐水ホース２にシャワーヘッド本体１の基端部４を取付け使用する。該シャワーヘッド本体１と該吐水ホース２の内径に有するネジ筋に係合する該基端部４をねじ込み行われる。該シャワーヘッド本体１の該吐水ホース２への取り付けは、該吐水ホース２へあらかじめ該吐水ホース２の内径に有するネジ筋に係合するネジ筋を持つアダプターを取付け該アダプターの取付け部の形状に係合するシャワーヘッド本体１の基端部４を取付け接続が行われても良い（図示せず。）。ブラシ部５が取付けられたシャワーヘッド本体１において内部水流路６はブラシ部５のほぼ中央部に位置し開口する吐水口７と連通している。ブラシ部５は取り外しが可能であり、ブラシ部５の周辺部分は、ペット皮膚面８への接合性を高め水の飛び散りを防ぐ目的でブラシ歯５ｂは、ブラシ部５周辺部又は外周部に高密度に配置され湯水壁を形成する。湯水壁は、ブラシ部周５辺部分又は外輪部分に形成された凸部３であっても良い。ブラシ部５周辺部又は外周部に高密度で配置されたブラシ歯５ｂは、ブラシ部５中央部のブラシ歯５ｂと異なる素材であっても良くブラシ歯５ｂの素材は、樹脂、金属、毛、スポンジ材、ゴムなどが使用出来、ブラシ歯５ｂの長さは素材の軟度により１．０センチ〜２．５センチ程度が好ましくその素材の軟度によりブラシ部５周辺部又は外周部の該凸部３もしくは、高密度に配置された該ブラシ歯５ｂの高さは異なる。該凸部３の素材は樹脂もしくは、スポンジ材、ゴムなどを用いても良い。
【００２４】
図２は、シャワーヘッド本体１の使用時の実施例を表す図１におけるＡ−Ａ'断面図である。内部水流路６より送られた湯水はブラシ部５ほぼ中央に位置する吐水口７よりペット皮膚面８へ吐水され、ブラシ部５の周辺部分に高密度で配置され湯水壁を形成するブラシ歯５ｂがペット皮膚面８と密着することで水の飛び散りを抑える。該ブラシ部５の周辺部分に高密度で配置される該ブラシ歯５ｂのブラシ歯５ｂ間の各隙間は、ブラシ歯の材質やブラシ歯５ｂの径により異なるが、例えばポリエチレンなどの軟質の樹脂でブラシ歯５ｂの径が３ミリとした場合は、ブラシ歯５ｂ間の各隙間は３ミリ程度もしくはそれ以下であることが好ましい。
【００２５】
図３は、シャワヘッド本体１の水流切替蓋取付け部１２に表面がフラットな水流切替蓋９を取付けた図である。前記水流切替蓋９は、ブラシ歯５と直交する方向に吐水することを目的とした表面部がフラットなタイプ、散水させることを目的とした０．３〜０．７ミリ程度の多数の細孔９aを有したタイプが用いられる。前記水流切替蓋９の取付けは、水流切替蓋取付け部１２に水流切替蓋支柱９ｂをはめ込みによる取付け又は、ねじ込みにより取付ける。また、水流切替蓋取付け部１２を設けず吐水口７内輪にネジ筋を設け、水流切替蓋９の外輪に該ネジ筋に係合するネジ筋を設け取り付けられても良い。
【００２６】
図４は、シャワーヘッド本体１の使用時の実施例を表す図３におけるＣ−Ｃ'断面図である。内部水流路６より送られた湯水はブラシ部５ほぼ中央に位置する吐水口７より吐水され水流切替蓋９にぶつかることでブラシ歯５ｂと直交する方向に吐水される。ブラシ部５の周辺部分に高密度で配置され湯水壁を形成するブラシ歯５ｂはペット皮膚面８と密着することで水の飛び散りを抑える。
【００２７】
図５は、シャワーヘッド本体１の内部水流経路６をあらわす図２におけるＢ−Ｂ'断面図である。基端部４により吐水ホース２と連通連結するシャワーヘッド本体１は、内部水流経路６により吐水口７へ湯水が送られる。
【００２８】
図６は、シャワーヘッド本体１のブラシ部５が外された状態を表す図である。ブラシ部５はブラシ土台部５ａをはめ込みにより取付けられ、この状態においてブラシ部５の付け替えが行われる。ブラシ部５のシャワーヘッド本体１への取付け方法は爪を用いたはめ込みによる取付け、スライド溝を用いたはめ込みによる取付け、マジックテープ（登録商標）を用いた接着、ビスを用いた取付け、磁石を用いた取付け、ねじ込みによる取付けなどであっても良い。
【００２９】
図７は、湯水壁としてブラシ部５周辺部に凸部３を設けた場合を表す図である。シャワーヘッド本体１の使用時は凸部３はペット皮膚面８と密着することで、湯水の飛び散りを抑える。
【００３０】
図８は、ブラシ部５周辺部に高密度に配置されブラシ歯５ｂとブラシ部５の外輪部に凸部３を湯水壁として併用し設けた際を表す図である。
【００３１】
図９は、シャワーヘッド本体１の両側面部設けられたバンド取付け孔
１１に係合する着脱可能なバンド１０を取付けた状態を表すシャワーヘッド本体１の裏面を表す斜視図である。バンド１０の取付け方法はマジックテープ（登録商標）又はボタンなどを用いる。
【００３２】
図１０は、シャワーヘッド本体１側に水流切替蓋取付け部１２を設けずにブラシ部５に水流切替蓋９を取付けた際のブラシ部５を表す斜視図である。ブラシ土台部５aに水流切替蓋スライド溝５ｃを設け該水流切替蓋スライド溝５ｃに係合する凹部を持ちブラシ歯５ｂと直交する方向に開口した水流切替蓋９が取付けられ、該水流切替蓋９が吐水口７の上部にスライドすることで水流方向を上方向からブラシ歯５ｂと直交する方向に切り替える。図１０においては、吐水口上部に水流切替蓋スライド溝５ｃによりスライドする前記水流切替蓋９は、ブラシ部５側に設けられているが、前記水流切替蓋スライド溝５ｃ及び前記水流切替蓋９は、シャワーヘッド本体１側に取付けられても良い（図示せず。）。
【００３３】
図１１は、表面に０．３〜０．７ミリ程度の多数の細孔９aを有する水流切替蓋９を取付けた際を表すシャワーヘッド本体１の斜視図であり、前記水流切替蓋９は、ブラシ部５中央に位置する吐水口７を完全に塞ぐように取付けられ、吐水は水流切替蓋９に設けられた細孔９aからのみ行われ散水される。
【００３４】
図１２は、押圧部９ｃを上下させることで上下移動する水流切替蓋９を取付けた際のシャワーヘッド本体１を表す正面の斜視図であり、該水流切替蓋９は水流切替蓋支柱９ｂが前記シャワーヘッド本体１の裏面へ貫通し保持されている。前記シャワーヘッド本体１の裏側、前記水流切替蓋支柱９ｂの貫通部に隣接する位置に可動爪スライド溝１５を有する可動爪１３が設けられ、前記水流切替蓋支柱９ｂに該可動爪１３に係合する可動爪溝１４を２つ又は３つ設け該可動爪１３をスライドさせ前記押圧部９ｃを上下させることで該水流切替蓋９の移動及び固定を行う（図１３〜１６参照）。
【００３５】
図１３は、上下移動する水流切替蓋９を取付けた際のシャワーヘッド本体１の裏面の斜視図であり、シャワーヘッド本体１に設けられた可動爪スライド溝１５に取付けられたスライドする可動爪１３が、シャワーヘッド本体１の裏面に貫通した水流切替蓋支柱９ｂに設けられた可動爪溝１４と係合することにより水流切替蓋支柱９ｂが固定される。
該可動爪１３をスライドさせ、押圧部９ｃを上下させることで該水流切替蓋９の移動及び固定を行う。図１３ではシャワーヘッド本体１側に、可動爪１３、水流切替蓋支柱９ｂ側に該可動爪１３に係合する可動爪溝１４が設けられたが、これとは逆に水流切替蓋支柱内部に２つ又は３つ外部に突出する可動爪１３を有し、シャワーヘッド本体１側の水流切替蓋支柱９ｂとの隣接部に該可動爪１３に係合する可動爪溝１４を設け水流切替蓋９の移動及び固定が行われても良い（図示せず。）。
【００３６】
図１４は上方向の水流となる水流切替蓋９の位置を表す図１３におけるＤ−Ｄ´断面であり、水流切替蓋９は吐水口７の底部に位置し内部水流路６より連通する吐水口７に対し、水流方向を変える位置関係になく上方向の水流となる。
【００３７】
図１５は散水する水流となる水流切替蓋９の位置を表す図１３におけるＤ−Ｄ´断面であり該水流切替蓋９は内部水流路６より連通する吐水口７を完全に塞ぐ事で、該水流切替蓋９の表面に設けられた０．３〜０．７ミリ程度の多数の細孔９ａより散水が行われる。
【００３８】
図１６は、ブラシ歯５ｂと直交する方向への水流となる水流切替蓋９の位置を表す図１３におけるＤ−Ｄ´断面であり、水流切替蓋９は内部水流路６より連通する吐水口７より上方向に吐水される湯水を妨げブラシ歯５ｂと直交する方向に水流方向を変える。圧縮噴射の圧力はかからない為、水流切替蓋９の表面に設けられた多数の細孔９ａより湯水の吐水はほとんど起こらない。
【図面の簡単な説明】
【００３９】
【図１】シャワーヘッド本体の実施例を表す斜視図である。
【図２】シャワーヘッド本体の使用時の実施例を表す図１における          Ａ−Ａ'断面図である。
【図３】水流切替蓋取付け時のシャワーヘッド本体の斜視図である。
【図４】水流切替蓋取付け時の使用時の実施例を表す図３における        Ｃ−Ｃ'断面図である。
【図５】シャワーヘッド本体の内部水流路を表す図２における        Ｂ―Ｂ'断面図である。
【図６】ブラシ部を外した状態を表すシャワーヘッド本体の斜視図であ        る。
【図７】湯水壁に凸部を用いた時の斜視図である。
【図８】シャワーヘッド本体外殻に凸部を設け、高密度ブラシ歯と        併用した時の斜視図である。
【図９】バンド装着時のシャワーヘッド本体斜視図である。
【図１０】ブラシ部に水流切替蓋を取付けた斜視図である。
【図１１】多数の細孔を有した水流切替蓋取付け際のシャワーヘッド          本体の斜視図である。
【図１２】上下移動する水流切替蓋を取付けた際のシャワーヘッド          本体を表す正面の斜視図である。
【図１３】上下移動する水流切替蓋を取付けた際のシャワーヘッド          本体の裏面を表す斜視図である。
【図１４】上方向の水流となる水流切替蓋の位置を表す図１３にお          けるＤ−Ｄ´断面である。
【図１５】散水する水流となる水流切替蓋の位置を表す図１３にお          けるＤ−Ｄ´断面である。
【図１６】ブラシ歯と直交する方向への水流となる水流切替蓋の位          置を表す図１３におけるＤ−Ｄ´断面である。
【符号の説明】
【００４０】
１            シャワーヘッド本体
１ａ            シャワーヘッド本体外殻
２    吐水ホース
３    凸部
４    基端部
５    ブラシ部
５ａ  ブラシ土台部
５ｂ  ブラシ歯
５ｃ  水流切替蓋スライド溝
６    内部水流路
７    吐水口
８    ペット皮膚面
９    水流切替蓋
９ａ  細孔
９ｂ  水流切替蓋支柱
９ｃ  押圧部
１０  バンド
１１  バンド取付け孔
１２  水流切替蓋取付け部
１３  可動爪
１４  可動爪溝
１５  可動爪スライド溝
【図１】
2006246788.tif 000003
【図２】
2006246788.tif 000004
【図３】
2006246788.tif 000005
【図４】
2006246788.tif 000006
【図５】
2006246788.tif 000007
【図６】
2006246788.tif 000008
【図７】
2006246788.tif 000009
【図８】
2006246788.tif 000010
【図９】
2006246788.tif 000011
【図１０】
2006246788.tif 000012
【図１１】
2006246788.tif 000013
【図１２】
2006246788.tif 000014
【図１３】
2006246788.tif 000015
【図１４】
2006246788.tif 000016
【図１５】
2006246788.tif 000017
【図１６】
2006246788.tif 000018